(57)【要約】【課題】  嵩張らず、使い勝手のよいはし箱付弁当箱を、部品点数の増加を招かずに提供する。【解決手段】  蓋体２に凹設したはし箱収容凹部９に、自動均圧弁５を取付け、この自動均圧弁５に設けた係合用膨出部１３ｂを利用して、はし箱６を、前記はし箱収容凹部９に収容した状態で着脱可能に固定する。【選択図】  図５
0003115871.tif 000002
【実用新案登録請求の範囲】
【請求項１】
蓋体にはし箱収容凹部を凹設し、このはし箱収容凹部に弁取付開口および空気流通開口を形成し、軟弾性材料からなる自動均圧弁の取付軸部を前記弁取付開口に無理嵌めして自動均圧弁を蓋体に取付け、自動均圧弁の弁体部により前記空気流通開口を開閉可能に閉塞し、かつ前記取付軸部の先端に係合用膨出部を形成し、はし箱の底部に設けた係合孔に前記係合用膨出部を着脱可能に係合させて、はし箱をはし箱収容凹部に固定するように構成したことを特徴とする弁当箱。
【請求項２】
蓋体が金属板で構成され、はし箱が合成樹脂で構成された請求項１記載の弁当箱。
【考案の詳細な説明】
【技術分野】
【０００１】
本考案は、自動均圧弁およびはし箱を備えた弁当箱に関するものである。
【背景技術】
【０００２】
弁当箱の中に入れた暖かい御飯などの食品の温度が下がって内部が負圧になって蓋体を開けにくくなることを防ぐため、蓋体に自動均圧弁を設けたものが従来から知られている（例えば特許文献１）。
【０００３】
また合成樹脂製の蓋体を有する弁当箱において、蓋体にはし収容部を一体に形成すると共に、このはし収容部を開閉するはし収容蓋を蓋体に取付け、はし収容部にはしを収容しうるように構成したものも従来から知られている。そしてこの種弁当箱において自動均圧弁を備えたものは、これをはし収容部の底面に配し、はし収容蓋を閉じた状態では外部から自動均圧弁が見えないようにして、美観に配慮している。
【特許文献１】実開平６−１６７８２号公報
【考案の開示】
【考案が解決しようとする課題】
【０００４】
弁当箱として、蓋体がステンレス板などの金属板で構成されたものが存在するが、この場合には、はし収容部およびはし収容蓋を、蓋体に一体関係を有するようにして形成することが困難である。このためこの種弁当箱では、はし収容部に相当するものを有さず、使用者は別体のはし箱を弁当箱にバンド止めする等して、携行しているのが一般であり、使用に不便を感じ、また嵩張るという問題があった。またこの種弁当箱では、蓋体に取付けた自動均圧弁が外部に露呈して、美観上問題があった。
【０００５】
本考案は、上記従来例の問題点を解消した弁当箱を提供することを目的とする。
【課題を解決するための手段】
【０００６】
本考案は上記目的を達成するため、蓋体にはし箱収容凹部を凹設し、このはし箱収容凹部に弁取付開口および空気流通開口を形成し、軟弾性材料からなる自動均圧弁の取付軸部を前記弁取付開口に無理嵌めして自動均圧弁を蓋体に取付け、自動均圧弁の弁体部により前記空気流通開口を開閉可能に閉塞し、かつ前記取付軸部の先端に係合用膨出部を形成し、はし箱の底部に設けた係合孔に前記係合用膨出部を着脱可能に係合させてはし箱をはし箱収容凹部に固定するように構成したことを特徴とする弁当箱を提供するものである。
【０００７】
特に蓋体が金属板で構成され、はし箱が合成樹脂で構成された弁当箱に、本考案を適用すると好適である。
【考案の効果】
【０００８】
本考案によれば、自動均圧弁の取付軸部の先端に形成した係合用膨出部を利用して、はし箱を、蓋体に凹設したはし箱収容凹部に固定することができ、部品点数の増加を招かずに、使い勝手の良い、はし箱付き弁当箱を提供することができる。
【０００９】
また本考案によれば、はし箱を前記はし箱収容凹部に収容でき、はし箱付き弁当箱を嵩張らない状態とすることができる。
【００１０】
さらに本考案によれば、自動均圧弁をはし箱の下に隠した状態で配置できるので、美観を保つことができる。
【考案を実施するための最良の形態】
【００１１】
本考案を実施するための最良の形態について、図に示す実施例に基づきこれを説明する。
【００１２】
図１〜図４において、１は弁当箱本体、２は蓋体、３、３は左右１対の止め具、４はパッキン、５は自動均圧弁、６ははし箱である。
【００１３】
弁当箱本体１および蓋体２は、ステンレス板をプレス加工して、図示する形状に成形したものである。蓋体２の両側面のそれぞれには、前後１対のステンレス製のヒンジ支持具７、７が溶接され、これらヒンジ支持具７、７に、ステンレス線を折曲形成してなる止め具３が回動自在に支持されている。また弁当箱本体１の両側面のそれぞれには、前後１対のステンレス製の係止具８、８が溶接されている。蓋体２の四周内面には環状のパッキン４が把持され、このパッキン４が、閉蓋時に弁当箱本体１の上縁に当接するように構成されている。蓋体２を弁当箱本体１に被せ、左右の止め具３を回動して、これら止め具３を前記係止具８、８の下面に係合することにより、前記パッキン４を圧縮した状態で、蓋体２を弁当箱本体１に対し、気密状態で閉蓋することができる。
【００１４】
前記蓋体２の左右方向中央には、前後方向に細長いほぼ矩形状のはし箱収容凹部９が凹設されている。このはし箱収容凹部９は、前記はし箱６を収容するためのものであって、その外形状より若干大きな形状に形成されると共に、はし箱６の高さの約１／２の深さを有するように形成されている。前記はし箱収容凹部９の深さは、はし箱６の高さの１／３〜２／３の範囲にあることが好適である。
【００１５】
はし箱収容凹部９の底部９ａの中央には、図５〜図８に詳細に示すように、弁取付開口１０および空気流通開口１１が、蓋体２の前記底部９ａを貫通するように形成されている。本実施例では、中央に弁取付開口１０が、その左右に１対の空気流通開口１１、１１が前後方向を向いて平行に形成されると共に、弁位置決め用開口１２、１２が中央の弁取付開口１０と左右の空気流通開口１１、１１とをそれぞれ連通するように左右方向を向いて形成されている。本実施例では空気流通開口１１を弁取付開口１０とは離れた位置に形成しているが、空気流通開口１１を弁取付開口１０の端部や側部に連続するように形成してもよく、要はそれぞれの開口１１、１０が後述の機能を有するように形成されていればよい。
【００１６】
前記弁取付開口１０には、ゴム製の自動均圧弁５が取付けられている。この自動均圧弁５は、図５に示すように、前記弁取付開口１０に無理嵌めして組付けられる取付軸部１３と、前記空気流通開口１１を開閉可能に閉塞して自動均圧弁作用を営む弁体部１４とを一体に有している。なお図５において１５で示すものは、前記弁位置決め用開口１２に嵌入して、自動均圧弁５の取付位置を規制するための突出部である。前記取付軸部１３は、前記弁取付開口１０の外形より若干大の断面形状を有する軸本体部１３ａと、その先端に膨出状に形成された係合用膨出部１３ｂとを有し、かつ軸本体部１３ａの前記弁体部１４との境界部の周囲に環状溝１３ｃが形成されている。前記弁体部１４は、円形の周縁１４ａが取付軸部１３側に若干反り上がった曲面板状に形成されている。
【００１７】
図６〜図８に示すように、蓋体２の内側（弁当箱本体１側）から、前記取付軸部１３を前記弁取付開口１０に押し込み、軟弾性を有する取付軸部１３の変形を利用して、自動均圧弁５を蓋体２の前記底部９ａに取付ける。これにより、前記弁取付開口１０の周縁部１０ａは前記環状溝１３ｃに嵌合し、前記突出部１５は前記弁位置決め用開口１２に係合する。そして前記取付軸部１３は、前記はし箱収容凹部９の底部９ａから上方に突出している。他方、前記弁体部１４は、図６に示すように、その周縁１４ａが弁体部１４の有する軟弾性によって、はし箱収容凹部９の底部９ａの下面に密着し、弁体部１４に内包される前記各開口１０、１１、１２を閉じている。蓋体２を閉じた状態で弁当箱本体１が負圧になったときは、弁当箱の内外の圧力差により、前記弁体部１４は、図６に仮想線で示すように、その周縁１４ａがはし箱収容凹部９の底部９ａの下面より離れて開状態となり、主として前記空気流通開口１１を通じて、外気が弁当箱内部に流入し、内外圧力差を自動的に無くすように作用する。
【００１８】
本実施例では、自動均圧弁５はゴム製のものであるが、軟弾性合成樹脂でこれを構成することができる。
【００１９】
はし箱６は、はし収容ケース１６と、このはし収容ケース１６にスライド可能に組付けられたはし箱蓋１７とからなり、これらは合成樹脂で成形されている。前記はし収容ケース１６の底部１６ａの中央には前記自動均圧弁５の係合用膨出部１３ｂが着脱可能に係合する係合孔１８が開設されている。この係合孔１８の形状は、前記係合用膨出部１３ｂの断面形状より若干小さく、はし箱６を上から押し込むようにして前記係合孔１８に前記係合用膨出部１３ｂを導くと、その軟弾性による変形によって前記係合用膨出部１３ｂが前記係合孔１８を通過して、前記係合孔１８と前記係合用膨出部１３ｂとが係合する。これにより、図６、図７に示すように、はし箱６は自動調圧弁５を介して、蓋体２のはし箱収容凹部９に着脱可能に固定される。また前記はし収容ケース１６の底面には隙間形成用突出部１９が４箇所において一体形成されている。この隙間形成用突出部１９により、はし箱６の底面とはし箱収容凹部９の底部上面との間に隙間が形成されることにより、外気を前記空気流通開口１１を通じて弁当箱内部にスムースに導けるようにしている。しかし、前記隙間形成用突出部１９を設けることは必須のものではなく、外気と前記空気流通開口１１との間の空気流通を他の手段によって図ることができることは、云うまでもない。
【産業上の利用可能性】
【００２０】
本考案は上記実施例に示すように、蓋体が金属板で構成され、はし箱が合成樹脂で構成されたはし箱付き弁当箱として利用することが最適である。しかし蓋体、弁当箱本体、はし箱のいずれもが合成樹脂で構成されたはし箱付き弁当箱として、本考案を適用することもできる。
【図面の簡単な説明】
【００２１】
【図１】本考案の実施例において、はし箱を取外した状態で示す斜視図。
【図２】本考案の実施例を示す斜視図。
【図３】本考案の実施例の横断面図。
【図４】本考案の実施例の縦断面図。
【図５】本考案の実施例の要部を分解して示す斜視図。
【図６】その横断面図。
【図７】その縦断面図。
【図８】その平面図。
【符号の説明】
【００２２】
２  蓋体
５  自動均圧弁
６  はし箱
９  はし箱収容凹部
１０  弁取付開口
１１  空気流通開口
１３  取付軸部
１３ｂ  係合用膨出部
１４  弁体部
１８  係合孔
【図１】
0003115871.tif 000003
【図２】
0003115871.tif 000004
【図３】
0003115871.tif 000005
【図４】
0003115871.tif 000006
【図５】
0003115871.tif 000007
【図６】
0003115871.tif 000008
【図７】
0003115871.tif 000009
【図８】
0003115871.tif 000010